(57)【要約】【課題】  光学式ピックアップより照射されるレーザー光によりディスクに信号を記録することが出来る光ディスク記録再生装置を提供する。【解決手段】  最小パルス幅から最大パルス幅との間で設定されているパルス幅のパルス信号を駆動信号として光学式ピックアップ４に組み込まれているレーザーダイオード５に供給することによりディスク１に信号を記録するように構成された光ディスク記録再生装置において、ディスク１に信号を記録しているときディスク面から得られる反射光に基いて記録された信号の再生パルス幅を検出し、最小パルスのパルス幅が規定値に対して設定長以上相違したとき、レーザーダイオード５に供給される最小パルスのパルス幅を可変調整する。【選択図】    図１
2005135542.tif 000002
【特許請求の範囲】
【請求項１】
最小パルス幅から最大パルス幅との間で設定されているパルス幅のパルス信号を駆動信号として光学式ピックアップに組み込まれているレーザーダイオードに供給することによりディスクに信号を記録するように構成された光ディスク記録再生装置において、ディスクに信号を記録しているときディスク面から得られる反射光に基いて記録された信号の再生パルス幅を検出し、最小パルスのパルス幅が規定値に対して設定長以上相違したとき、レーザーダイオードに供給される最小パルスのパルス幅を可変調整するようにしたことを特徴とする光ディスク記録再生装置。
【請求項２】
レーザーダイオードから出力されるレーザー光の出力をモニターするべく光学式ピックアップに組み込まれているモニター用ダイオードより得られる信号に基いてレーザーダイオードに供給される駆動信号のレベルを調整する自動レベル調整回路を設け、該自動調整回路の自動調整動作に伴うレーザーダイオードへの駆動信号のレベルに基いて最小パルスのパルス幅を可変調整するようにしたことを特徴とする請求項１に記載の光ディスク記録再生装置。
【請求項３】
最小パルスのパルス幅と規定値との相違量に応じてレーザーダイオードに供給される最小パルス幅に対する調整量を変更するようにしたことを特徴とする請求項１に記載の光ディスク記録再生装置。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置では、レーザー光によってディスク上にピットを形成するように構成されているが、レーザー出力値が最適でなかった場合には、ピットの形状が大きすぎたり小さすぎたりすることになる。そのため、斯かる光ディスク記録再生装置では、レーザーダイオードに供給される駆動信号のレベルを制御することによって信号のディスクへの記録動作を正確に行うように構成されている(例えば、特許文献１参照。)。
【特許文献１】特開２００１−２３１７３号公報
【発明の開示】
【発明が解決しようとする課題】
【０００４】
追記型と呼ばれるディスクは、レーザー光を信号面に照射することによってピットを形成して信号の記録動作を行うように構成されている。そして、レーザー光を照射するレーザーダイオードに記録信号に応じたパルス幅の駆動信号を供給することによって記録動作に必要なレーザー光を照射するように構成されている。
【０００５】
また、レーザーダイオードに供給されるパルス信号の幅は、ディスクの規格に応じて３Ｔ〜１１Ｔや３Ｔ〜１４Ｔ(Ｔは記録チャンネルクロックの１周期)があり、これらのパルス幅を有する駆動信号をレーザーダイオードに供給することによって信号のディスクへの記録動作を行うように構成されている。
【０００６】
図２は、記録信号と記録用のパルス信号との関係を示すものであり、図２の(Ａ)は、記録信号に対応して生成されるパルス信号であり、図２の(Ｂ)は、該記録信号に対応する単パルス形状の駆動パルス信号である。単パルス形状の信号による記録動作は、蓄熱により記録されるピットの形状が涙状に歪むため、図示したように記録パルスの先頭部分のレーザー出力を高くする等の補正を行うようにされている。
【０００７】
また、光ディスク記録再生装置において、ディスクへの信号の記録動作を短時間に行うためにディスクの回転速度を規定の速度に対して、４倍、８倍等の高速にした状態で記録動作を行うようにされている。ディスクを高速回転させた状態で記録動作を行うためには、レーザー出力のレベルを大きくする必要があるとともにレーザー出力の自動レベル制御動作を正確に行う必要がある。
【０００８】
レーザー出力を高くして記録動作を行うと、ディスクが熱干渉を起こし記録品位が劣化するという問題があり、特に最小パルス幅である３Ｔ信号が大きな影響を受け、信号の記録動作を正確に行うことが出来ないという問題がある。
【０００９】
本発明は、斯かる問題を解決することが出来る光ディスク記録再生装置を提供しようとするものである。
【課題を解決するための手段】
【００１０】
本発明は、最小パルス幅から最大パルス幅との間で設定されているパルス幅のパルス信号を駆動信号として光学式ピックアップに組み込まれているレーザーダイオードに供給することによりディスクに信号を記録するように構成された光ディスク記録再生装置において、ディスクに信号を記録しているときディスク面から得られる反射光に基いて記録された信号の再生パルス幅を検出し、最小パルスのパルス幅が規定値に対して設定長以上相違したとき、レーザーダイオードに供給される最小パルスのパルス幅を可変調整するように構成されている。
【００１１】
また、本発明は、レーザーダイオードから出力されるレーザー光の出力をモニターするべく光学式ピックアップに組み込まれているモニター用ダイオードより得られる信号に基いてレーザーダイオードに供給される駆動信号のレベルを調整する自動レベル調整回路を設け、該自動調整回路の自動調整動作に伴うレーザーダイオードへの駆動信号のレベルに基いて最小パルスのパルス幅を可変調整するように構成されている。
【００１２】
そして、本発明は、最小パルスのパルス幅と規定値との相違量に応じてレーザーダイオードに供給される最小パルス幅に対する調整量を変更するように構成されている。
【発明の効果】
【００１３】
本発明は、最小パルス幅から最大パルス幅との間で設定されているパルス幅のパルス信号を駆動信号として光学式ピックアップに組み込まれているレーザーダイオードに供給することによりディスクに信号を記録するように構成された光ディスク記録再生装置において、ディスクに信号を記録しているときディスク面から得られる反射光に基いて記録された信号の再生パルス幅を検出し、最小パルスのパルス幅が規定値に対して設定長以上相違したとき、レーザーダイオードに供給される最小パルスのパルス幅を可変調整するようにしたので、熱干渉による影響を受けてもその影響を補正することが出来るので、正確な記録動作を行うことが出来る。
【００１４】
また、本発明は、レーザーダイオードから出力されるレーザー光の出力をモニターするべく光学式ピックアップに組み込まれているモニター用ダイオードより得られる信号に基いてレーザーダイオードに供給される駆動信号のレベルを調整する自動レベル調整回路を設け、該自動調整回路の自動調整動作に伴うレーザーダイオードへの駆動信号のレベルに基いて最小パルスのパルス幅を可変調整するようにしたので、より正確な記録動作を行うことが出来る。
【００１５】
そして、本発明は、最小パルスのパルス幅と規定値との相違量に応じてレーザーダイオードに供給される最小パルス幅に対する調整量を変更するようにしたので、最小パルス幅の信号を正確に記録することが出来る。
【発明を実施するための最良の形態】
【００１６】
本発明は、記録動作時ディスク面から得られる反射光から再生パルスの幅を検出し、その検出結果に基いてパルスの幅を制御するようにしたものである。
【実施例１】
【００１７】
図１は本発明に係る光ディスク記録再生装置の一実施例を示す回路図、図２はパルス信号の波形図である。図１において、１はスピンドルモーター２によって回転駆動されるターンテーブル３上に載置されて回転駆動されるディスクであり、記録用ディスクにはプリ
グルーブと呼ばれる溝が蛇行して形成されている。
【００１８】
４はディスク１にレーザー光を照射させるレーザーダイオード５、該レーザーダイオード５から照射されるレーザー光の出力をモニターするモニター用ダイオード６及びディスク１の信号面から反射されるレーザー光を受ける光検出器７が組み込まれている光学式ピックアップであり、対物レンズ(図示せず)をディスク１の信号面方向に変位させることによってレーザー光を信号面に合焦させるフォーカス用コイル(図示せず)及びレーザー光を信号トラックに追従させるべく対物レンズをトラック方向に変位させるトラッキング用コイル(図示せず)が組み込まれているとともにピックアップ送り用モーター(図示せず)によってディスク１の径方向に移動せしめられるように構成されている。
【００１９】
８は前記光検出器７より得られるＲＦ(高周波)信号が入力されるとともに該信号を増幅するＲＦ信号増幅回路、９は前記ＲＦ信号増幅回路８によって増幅された信号が入力される２値化回路であり、入力された信号を波形整形するとともに２値化した信号を出力するように構成されている。１０は前記２値化回路９によって２値化された信号が入力されるデジタル信号処理回路であり、各種信号の復調動作を行うように構成されている。
【００２０】
１１は前記デジタル信号処理回路１０にて復調された信号が入力されるとともにホスト機器(図示せず)から出力される命令信号に応じて各種の制御動作を行うとともにホスト機器との間で信号の入出力動作を制御するシステム制御回路である。１２は前記システム制御回路１１によって動作が制御されるとともに記録信号のエンコード処理動作を行う信号記録用回路である。
【００２１】
１３は前記信号記録用回路１２から出力される記録信号に応じたパルス信号、例えばパルス幅が３Ｔ〜１１Ｔのパルス信号が入力されるレーザーダイオード駆動回路であり、パルス幅に応じた駆動信号を前記光学式ピックアップ４に組み込まれているレーザーダイオード５に供給するように構成されている。１４は前記システム制御回路１１によって動作が制御されるレーザー出力制御回路であり、ディスク１の回転速度に応じたレベルの記録用駆動信号や再生動作を行うために適したレベルの再生用駆動信号をレーザーダイオード駆動回路１３から出力させるように構成されている。１５は前記レーザーダイオード５から放射されるレーザー光の出力レベルをモニターするべく設けられているモニター用ダイオード６から得られるモニター信号に基いてレーザーダイオード駆動回路１３から供給される駆動信号のレベルを調整するレーザー出力自動調整回路である。
【００２２】
１６は前記２値化回路９から出力されるパルス信号のパルス幅を検出するパルス幅検出回路であり、記録動作に使用される最小幅のパルス、即ち３Ｔパルスのパルス幅を検出し、その検出信号をシステム制御回路１１に対して出力するように構成されている。１７は前記システム制御回路１１によって動作が制御されるパルス幅調整回路であり、前記パルス幅検出回路１６によって検出される３Ｔのパルス幅が規定値に対して設定値以上相違したとき信号記録用回路１２から出力されるパルス信号の中の３Ｔパルスのパルス幅を調整するように構成されている。また、レーザー出力自動調整回路１５から得られるレーザー出力のレベルを検出し、そのレベルが所定レベル、即ち熱干渉による影響を受けるレベルに達しているとき、パルス幅調整回路１７による調整動作を行うように構成されている。
【００２３】
１８は前記スピンドルモーター２を回転駆動制御するスピンドルモーター駆動回路であり、システム制御回路１１の制御動作によってディスク１を所定の記録速度にて回転駆動するように構成されている。
【００２４】
以上に説明したように本発明は構成されているが、次に動作について説明する。ホスト機器から記録動作を行うための命令信号が出力されると、システム制御回路１１による記
録動作のための制御動作が開始される。斯かる記録動作は、まずディスク１の内周側に設けられている試し書き領域にテスト信号をレーザー出力を変更させながら記録し、その記録された信号を再生することによって記録動作に適したレーザー出力の設定動作から開始される。斯かるレーザー出力の設定動作は、周知の技術を使用すればよいのでその説明は省略する。
【００２５】
斯かるレーザー出力の設定動作が終了すると、ホスト機器より出力されるデータ信号の記録動作を開始させるための制御動作が行われる。ディスク１はスピンドルモーター駆動回路１８によるスピンドルモーター２の回転駆動動作によって所望の回転速度にて回転駆動される。斯かる回転駆動動作は、例えば線速度一定になるように行われるが、斯かる制御動作はディスク１に形成されているプリグルーブより得られるウォブル信号を利用することによって行われる。
【００２６】
また、システム制御回路１１によるレーザー出力制御回路１４に対する制御動作によってレーザーダイオード駆動回路１３からレーザーダイオード５に供給される駆動信号のレベル設定動作が行われる。このように設定されるレーザー出力のレベルは、試し書き領域を利用したレーザー出力設定動作にて設定されたレベルとなる。
【００２７】
斯かる状態において、光学式ピックアップ４を記録動作を開始させる位置まで移動させることによって記録動作が開始されるが、記録開始位置のサーチ動作は、ウォブル信号より得られる位置情報データをデジタル信号処理回路１０にて抽出することによって行われる。斯かるサーチ動作は周知の技術にて行うことが出来る。
【００２８】
光学式ピックアップ４が記録開始位置まで移動するとホスト機器より送信されるとともバッファ用メモリー(図示せず)に記憶されていた記録信号が信号記録用回路１２に入力される。前記信号記録用回路１２に入力された記録信号は、エンコード処理された後記録信号に対応したパルス信号、即ち３Ｔ〜１１Ｔからなるパルス信号に変換されてレーザーダイオード駆動回路１３に印加される。斯かるパルス信号は、図２の(Ａ)に示すようなものである。
【００２９】
このように記録信号に対応してパルス化された信号がレーザーダイオード駆動回路１３に印加されると、そのパルス信号の幅に対応した駆動信号が該レーザーダイオード駆動回路１３からレーザーダイオード５に対して出力される。斯かる駆動信号は、図２の(Ｂ)に示すようなものであり、記録パルスの先頭部分のレーザー出力は高くなるように補正されている。
【００３０】
図２の(Ｂ)に示すパルス信号がレーザーダイオード５に供給されると、該レーザーダイオード５から照射されるレーザー光がディスク１上の信号面に照射され、該ディスク１の信号面にピットが形成されて信号の記録動作が行われる。斯かる動作によって記録信号のディスク１への記録動作が開始されるが、記録状態にあるときモニター用ダイオード６より得られるモニター信号がレーザー出力自動調整回路１５に入力された状態にある。その結果、前記レーザー出力自動調整回路１５によるレーザーダイオード駆動回路１３に対するレーザー出力レベルの自動調整動作が行われるので、レーザーダイオード５に供給される駆動信号レベルを記録動作に適した値に保持することが出来る。
【００３１】
前述した動作によってディスク１への記録信号の記録動作は行われるが、斯かる記録動作が行われているとき、光学式ピックアップ４に組み込まれている光検出器７によってディスク１より反射されるレーザー光の検出動作が行われる。前記光検出器７より得られる信号は、ＲＦ信号増幅回路８に入力されて増幅された後２値化回路９に入力される。該２値化回路９に入力された信号は、２値化されてデジタル信号処理回路１０に対して出力さ
れるが、２値化されたパルス信号のパルス幅がパルス幅検出回路１６によって検出されることになる。
【００３２】
前記パルス幅検出回路１６によるパルス幅の検出動作は、最小パルス幅の信号である３Ｔのパルス信号に対して行われる。前記パルス幅検出回路１６によって検出されたパルス幅はシステム制御回路１１に入力される。システム制御回路１１は、入力される３Ｔのパルス幅とメモリー回路(図示せず)に記憶されている規定の３Ｔパルス幅との比較動作を行う。ディスク１に対する熱干渉による影響が少ない場合には、前記パルス幅検出回路１６によって検出されるパルス幅と規定のパルス幅との差が小さいので、パルス幅調整回路１７による調整動作は行われない。
【００３３】
レーザー出力が高くなるとディスクに対する熱干渉による影響が大きくなり、パルス幅検出回路１６により検出される３Ｔパルス信号のパルス幅が変化する。検出される３Ｔパルス信号のパルス幅が変化し、規定のパルス幅との相違が所定長以上になるとその相違長に対応して信号記録用回路１２から出力される３Ｔパルス信号のパルス幅を変更するための制御動作がパルス幅調整回路１７によって行われる。
【００３４】
図２の(Ｃ)は、斯かるパルス幅の調整変更動作が行われた記録パルスに対応してレーザーダイオード駆動回路１３から出力される駆動パルスの波形を示すものであり、３Ｔパルス信号に対応する駆動パルスの幅が狭くなっている。このように調整された駆動パルス信号をレーザーダイオード５に供給するとディスク１上に記録されるピットの形状が小さくなるので、即ち熱干渉により拡大されていたピットの形状を小さくすることが出来る。その結果、レーザーダイオード５より照射されるレーザー出力が大きくなり、ディスク１の信号面に記録されるピットの形状が熱干渉により規定値外になることを防止することが出来る。
【００３５】
前述したように、パルス幅検出回路１６により検出される３Ｔパルス信号のパルス幅が規定値と所定長以上相違したとき、パルス幅調整回路１７によるパルス幅の可変調整動作を行うようにしたが、レーザー出力自動調整回路１５により検出されるレーザー出力に基いて制御するようにすることも出来る。即ち、前記レーザー出力自動調整回路１５により検出されるレーザー出力がディスク１の記録動作に熱干渉による影響を受けるレベルに達しているか否かを判定し、そのレベルが影響を受けるレベルに達しているとき、パルス幅検出回路16の検出動作に伴うパルス幅の変更調整動作を行うようにすることも出来る。
【００３６】
斯かる構成によれば、パルス幅検出回路１６によって検出される３Ｔパルス信号のパルス幅が規定のパルス幅と相違する原因がレーザー出力レベルが高いことにあることを認知することが出来るので、パルス幅の可変調整動作を正確に行うことが出来る。
【図面の簡単な説明】
【００３７】
【図１】本発明に係る光ディスク記録再生装置の一実施例を示す回路図である。
【図２】本発明に係るパルス信号の波形図である。
【符号の説明】
【００３８】
１        ディスク
２        スピンドルモーター
４        光学式ピックアップ
５        レーザーダイオード
６        モニター用ダイオード
７        光検出器
９        ２値化回路
１０        デジタル信号処理回路
１１        システム制御回路
１２        信号記録用回路
１３        レーザーダイオード駆動回路
１４        レーザー出力制御回路
１５        レーザー出力自動調整回路
１６        パルス幅検出回路
１７        パルス幅調整回路
【図１】
2005135542.tif 000003
【図２】
2005135542.tif 000004